(57)【要約】【課題】  私用又は公用の用件で設定時間で警報を発する警報付タイマー又はめざまし時計を使用時に、警報発生までの途中で残時間を知るには、タイマー又は時計の目盛を意識して目で確認しなければならないので用件の解決に熱中できない事がある。【解決手段】  短時間の使用では、警報付タイマーのみを用いてタイマー開始時と途中の特定時間毎と設定時間に到達時にタイマーから出力を取出し、まずブザー音で喚起後に設定時間までの残時間を音声で通報させる事により、用件に熱中していても途中で残時間を確認できる。一日の任意時刻の使用では、出力付時計と上記警報付タイマーを組合わせて、時計の出力設定をタイマーの設定時間から差引いた時刻に設定し、時計が任意時刻に近づくとタイマーから任意時刻までの残時間と到達時間をブザー音後に音声で通報させる。【選択図】図１
2010204076.tif 000002
【特許請求の範囲】
【請求項１】
あらかじめ設定した時間後に警報音を発生するプリセツトタイマーにあつて、警報を発生する設定時間を可変出来るスイツチとタイマーの開始スイツチを有するプリセツトタイマーにおいて、上記設定時間を選択して開始スイツチを操作時にタイマーの回路電源を動作させ、開始時にブザー音と設定時間をあらかじめ記録された音声を発生させたのち経過時間に伴い順次複数の特定された時間に達する毎にブザー音後に設定時間までの残時間を知らせる音声を発生させ、設定時間に到達時に終了を知らせるブザー音と音声を発生後に回路電源を断にする予告タイマー。
【請求項２】
一日の任意時刻で出力信号を発生する出力付時計と、請求項１の予告タイマーを組合わせて、前記出力付時計の任意時刻を前記予告タイマーの設定時間から差引いて設定し、出力付時計からの出力信号で前記予告タイマーの開始入力として動作させる事で、一日の任意時刻に接近時には順次複数の特定された時間に達する毎にブザー音後に任意時刻までの残時間を知らせる音声を発生させ、任意時刻に到達時に終了を知らせるブザー音と音声を発生する予告タイマー。
【発明の詳細な説明】
【技術分野】
【０００１】  本発明は、警報付タイマー又は警報付タイマーとめざまし時計の機能を組合わせて、あらかじめ設定した時間で警報を発生する時間通報器で、動作開始時から設定時間まで経過時間毎にブザー音と設定時間までの時間を音声で通報させる音声式タイマーに関する。
【背景技術】
【０００２】  従来、目ざまし時計であらかじめ設定された時間後にブザー音又は音声を発生させたり、キツチン用又はストツプウオツチ等の警報付タイマーで動作開始後に設定時間で警報音を発生させる各種の時間到達を通報する警報器がある。
【発明の開示】
【発明が解決しょうとする課題】
【０００３】  従来、時計又はタイマーの時間通報器は、あらかじめ設定した時間後に音（光）で警報を発生させる事を目的で使用されているが、警報の発生時間まで途中で残時間を確認したい場合には、意識して時計とかタイマーの目盛を目で確認しないと警報発生までの時間がわからない。
【０００４】  本発明は、従来のタイマー機能およびタイマーとめざまし時計の機能に新機能を加えて、意識して目盛を確認しなくても、動作開始後にあらかじめ設定した警報発生の時間までの残時間を途中で音声により何回に分けて通報する方式を提供する。
【課題を解決するための手段】
【０００５】  あらかじめ設定した時間後に警報音を発生するプリセツトタイマーとして、複数の設定時間を選択出来るスイツチと開始スイツチを設けて、上記設定時間を選択して開始スイツチを操作時にタイマーの回路電源を動作させ、初期に設定時間を確認出来るブザー音とあらかじめ記録された音声を発生させたのち経過時間に伴い順次複数の特定された時間に達する毎にブザー音後に設定時間までの残時間を知らせる音声を発生させ、設定時間に到達時に終了ブザー音と音声を発生させた後に回路電源を断にさせる予告タイマーとする。
【０００６】  一日の任意時刻で出力信号を発生する出力付時計と（０００５）項の予告タイマーを組合わせて出力付時計の任意時刻を前記予告タイマーの設定時間から差引いて設定し、出力付時計からの出力信号を前記予告タイマーに入力させ、前記予告タイマーを動作させる事で一日の任意時刻に接近時には、順次複数の特定された時間に達する毎にブザー音後に任意時刻までの残時間を知らせる音声を発生させ、任意時刻に到達時に終了を知らせるブザー音と音声を発生させる事で一日の任意時刻に使用出来る予告タイマーとする。
【発明の効果】
【０００７】  一般家庭での適用
（１）主婦の料理時で煮炊き及び調理等で一定の待時間までの残時間がわかるので、その      間に次の準備作業が安心して出来る。
（２）学生の勉強で科目別とか休憩時間の時間配分、一定時間内に解答にかける時間配分      を容易にさせる。
（３）来客の訪問時間とか家族の外出時間等を事前に知らせてくれるので、余裕をもつて      準備が出来る。
【０００８】  外出中での適用
（１）旅行等で、電車・バス利用時に途中下車して見学中でも次の出発時間に間に合うよ      う残時間を知らせてくれるので乗り遅れを防げる。
（２）会合等の指定時間までの出席又は休憩時間を遅刻しなくて余裕時間を活用出来る。
【０００９】  業務上での適用
（１）試作・製作品の作業中の待機時間とか、実験・試験中の待機に必要な残時間を知る      事でミスを少なくする事が出来る。
（２）業務上の報告書又は、研究成果の発表会で発表者が時間内でのまとめる練習および      司会者が発表者に残時間を予告タイマーから自動的に音声警告出来るので司会者の      手間がはぶける。
【００１０】  特定場所と特定者の便利性
（１）外光の少ない場所での使用とか視力の弱い身体障害者又は老人には、タイマー開始      時に音声で設定時間が確認出来るので、タイマーの操作ミスを少なく出来る。
【発明の実施するための最良の形態】
【００１１】  本発明の接続図、動作説明図、タイミングチャート図、実施例に基づいて説明する。
【００１２】  図１に予告タイマーを構成する接続図を示す。
（１）手動で動作させる場合には、プリセツトタイマー回路１の入力切替スイツチ１０をＡ側に設定して、手動開始スイツチ２の操作で電源制御回路２０により電池４から回路電源を接続させ、開始制御回路３０から時間発生回路４０と音声出力切替回路５０を動作させる。５０では、３０からの信号とあらかじめ４０の設定時間まで経過時間毎に発生する複数の信号を設定時間の切替で開始時および経過時間毎の音声信号に分離して、時間選別回路６０により音声発生時間幅に設定して音声メモリ回路７０に入力する。
７０は６０で設定された時間内で発生する音声をあらかじめ記録させたメモリから音声出力を取出し、音声出力部８０で増幅して音声で通報させる。
音声出力切替回路５０の最終音声信号で終了判別回路９０により一定時間遅らせ、音声発生後に電源制御回路２０に停止信号を入力して回路電源を断にして予告タイマーを終了させる。
（２）一日の任意時刻で動作させたい場合には、出力付時計３の出力をプリセツトタイマー１の入力切替スイツチ１０をＢ側に接続させ、任意時刻から５０による設定時間を差引いた時刻で３からの出力信号を取出し、２０を動作させて手動の場合と同様に音声出力部８０から音声で通報させる。
【００１３】  図１の接続図の詳細な動作説明を具体例により図２に示す。
【００１４】  手動開始スイツチ２とプリセツトタイマー回路１により、プリセツトタイマーを１０分設定した場合のタイマーの経過時間と音声内容を下記に示す。
タイマー            開始時                  ７分後                  １０分後
音声内容        （１０分前です）        （３分前です）            （時間です）
入力切替スイツチ１０をＡ側にして、手動開始スイツチ２は押ボタン式スイツチの操作で電源制御回路２０を自己ホールドさせ、電池４からの回路電源を連続的に接続する。
２０の電源立上がり出力により、コンデンサー３１と抵抗器３２により発生する微分信号でワンショツト回路３３を動作させる。
水晶又は音叉式の発信回路４１の信号で動作する分周回路４２と時刻カウンター４３を３３でリセツトしたのち４２をＩ分毎の出力信号とさせて４３を動作させ、４３の端子Ａ（７分）と端子Ｂ（１０分）から出力を取り出す。
同様に３３からタイマー開始時に１０分選定スイツチ５３の入力端子１０と接続して、１０分ワンショツト回路６３により一定の時間幅に広げて音声メモリ回路７０の入力端子ｃとＯＲ回路８１に入力する。
７０の出力端子ｐからあらかじめ記録された音声出力（１０分前です）を取り出し８１動作時のみ電源スイツチ８２を動作させて音声増幅器８３に回路電源を印加して７０の音声出力を増幅してスピーカー８４により音声通報させる。
タイマー開始７分後に時刻カウンター４３の端子Ａ（７分）出力は、３分選定スイツチ５２の入力端子１０に接続され３分ワンショツト回路６２を動作させて、７０の入力端子ｂと接続して上記と同様に８４より音声出力（３分前です）を通報する。
タイマー開始１０分後に時刻カウンター４３の端子Ｂ（１０分）出力は、０分選定スイツチ５１の入力端子１０に接続され０分ワンショツト回路６１を動作させて、７０の入力端子ａと接続して上記と同様に８４より音声出力（時間です）を通報する。
同時に４３のＢ出力は時間遅延回路９１により時間を遅らせて８４の音声通報後にＯＲ回路９３を経由して、２０に電源停止信号を入力して回路電源を断にする。
（音声出力切替回路５０の選定スイツチ５１，５２，５３は連動した切替により、各入力端子１０に固定された場合を示す。）
タイマー開始後に途中でタイマーを中止する場合、取消スイツチ９２を手動で動作させてＯＲ回路９３を経由して回路電源を断にする事が出来る。
上記予告タイマーの開始時から終了までの各部出力の時間による動きは、図３のタイミングチャート図による。
【００１５】  出力付時計３とプリセツトタイマー回路１により、警報時刻を１０時００分にした場合の出力付時計の経過時間と音声内容を下記に示す。
（出力付時計の３Ｂ設定出力９時５０分    プリセツトタイマーの５０設定時間１０分）
時刻          ９時５０分            ９時５７分            １０時００分
音声内容      （１０分前です）      （３分前です）          （時間です）
入力切替スイツチ１０をＢ側にしてプリセツトタイマー回路１の音声出力切替回路５０を１０分（５１，５２，５３を入力端子１０に接続）に設定する。出力付時計３の出力設定スイツチ３Ｂを９時５０分に設定し、２４時間タイマー３Ａを使用開始時の時刻に合わせる。時刻が９時５０分に達すると出力回路３Ｃから短時間出力が発生してプリセツトタイマー回路１の電源制御回路２０を接続させ、その後（００１４）と同様な動作をする。
これら各部出力の時間による動きは図４のタイミングチャート図による。
【実施例】
【００１６】  実施例の予告タイマーとして、前記の予告タイマーの機能を拡張させ下記の内容とする。
（１）時間発生回路４０の時刻カウンター４３出力は、７〜６０分までの６段出力
（２）音声出力切替回路５０の設定時間を６０分、３０分、１０分の３段スイツチ切替
（３）音声メモリ回路７０には６０分、３０分、１０分、３分、０分の５音声メモリ
上記の予告タイマーの操作・動作の詳しい内容をフローチャート図により図５に示す。
これを達成させる回路の動作説明図を図６に示す。
図６による各回路のタイミングチャート図を図７に示す。
外観構造図を図８に示す。
【図面の簡単な説明】
【００１７】
【図１】本発明の予告タイマーの接続図
【図２】同予告タイマーの動作説明図
【図３】同手動開始スイツチとプリセツトタイマー回路によるタイミングチャート図
【図４】同出力付時計とプリセツトタイマー回路によるタイミングチャート図
【図５】同予告タイマー（３段切替・５音声）のフローチャート図
【図６】同予告タイマーの動作説明図
【図７】同予告タイマーのタイミングチャート図
【図８】同予告タイマーの外観構造図
【符号の説明】
【００１８】  １・プリセツトタイマー回路      ２・手動開始スイツチ
３・出力付時計
３Ａ・２４時間タイマー          ３Ｂ・出力設定スイツチ  ３Ｃ・出力回路
４・電池
１０・入力切替スイツチ
２０・電源制御回路
３０・開始制御回路
３１・コンデンサー              ３２・抵抗器            ３３・ワンショツト回路
ワンショツト回路：ワンショツト形マルチバイブレーター
４０・時間発生回路
４１・発振回路                  ４２・分周回路          ４３・時刻カウンター
４４・ＡＮＤ回路                ４５・ＡＮＤ回路        ４６・ＡＮＤ回路
４７・ＡＮＤ回路
５０・音声出力切替回路
５１・  ０分選定スイツチ        ５２・３分選定スイツチ  ５３・１０分選定スイツチ
５４・３０分選定スイツチ        ５５・６０分選定スイツチ
６０・時間選別回路
６１・  ０分ワンショツト回路    ６２・  ３分ワンショツト回路
６３・１０分ワンショツト回路    ６４・３０分ワンショツト回路
６５・６０分ワンショツト回路    ６６・ＡＮＤ回路
７０．音声メモリ回路
８０・音声出力部
８１・ＯＲ回路                  ８２・電源スイツチ      ８３・音声増幅器
８４・スピーカー
９０・終了判別回路
９１・時間遅延回路              ９２・取消スイツチ      ９３・ＯＲ回路
【図１】
2010204076.tif 000003
【図２】
2010204076.tif 000004
【図３】
2010204076.tif 000005
【図４】
2010204076.tif 000006
【図５】
2010204076.tif 000007
【図６】
2010204076.tif 000008
【図７】
2010204076.tif 000009
【図８】
2010204076.tif 000010